(57)【要約】【課題】  高価で多機能なＩＰパケット転送装置を使用することなく、安価なレイヤ２スイッチやレイヤ３スイッチを利用して、ＩＰパケット転送装置なみのプロトコル処理を実現しながら、効率的にデータ転送を行うことが可能なデータ転送装置を提供する。【解決手段】  レイヤ２スイッチ、あるいはレイヤ３スイッチの機能を備えるデータ転送装置であって、外部から入力されるデータに付与されたＶＬＡＮ  Ｔａｇに基づき転送先を決定し、前記外部から入力されるデータを、次データ転送装置あるいは次パケット転送装置に転送する手段を有する。また、ＶＬＡＮ  Ｔａｇ転送テーブルを有し、前記手段は、前記外部から入力されるデータに付与されたＶＬＡＮ  Ｔａｇと前記ＶＬＡＮ  Ｔａｇ転送テーブルとを比較し、前記外部から入力されるデータの転送先を決定する。【選択図】        図１
2005210556.tif 000002
【特許請求の範囲】
【請求項１】
レイヤ２スイッチ、あるいはレイヤ３スイッチの機能を備えるデータ転送装置であって、
外部から入力されるデータに付与されたＶＬＡＮ  Ｔａｇに基づき転送先を決定し、前記外部から入力されるデータを、次データ転送装置あるいは次パケット転送装置に転送する手段１を有することを特徴とするデータ転送装置。
【請求項２】
外部から入力されるデータに、ＶＬＡＮ  Ｔａｇを付与する手段２を有することを特徴とする請求項１に記載のデータ転送装置。
【請求項３】
外部から入力されるＶＬＡＮ  Ｔａｇが付与されたデータから、ＶＬＡＮ  Ｔａｇを取り除く手段３を有することを特徴とする請求項１または請求項２に記載のデータ転送装置。
【請求項４】
ＶＬＡＮ  Ｔａｇ転送テーブルを有し、
前記手段１は、前記外部から入力されるデータに付与されたＶＬＡＮ  Ｔａｇと前記ＶＬＡＮ  Ｔａｇ転送テーブルとを比較し、前記外部から入力されるデータの転送先を決定することを特徴とする請求項１ないし請求項３のいずれか１項に記載のデータ転送装置。
【請求項５】
外部から入力されるデータに基づき、前記ＶＬＡＮ  Ｔａｇ転送テーブルを作成する手段４を有することを特徴とする請求項４に記載のデータ転送装置。
【請求項６】
請求項５に記載のデータ転送装置に接続される制御装置であって、
他の制御装置、あるいはパケット転送装置との間で制御データを送受信し、ネットワークのトポロジ情報の収集とトポロジ把握、データトラヒック情報の収集、ＶＬＡＮ  Ｔａｇが付与されたデータ転送のための設定、隣接ノードの発見と隣接ノードの故障検出を行う手段と、
前記データ転送装置のＶＬＡＮ  Ｔａｇ転送テーブルを作成するためのデータを、自制御装置に接続される前記データ転送装置に転送する手段とを有することを特徴とする制御装置。
【発明の詳細な説明】
【技術分野】
【０００１】
本発明は、データ転送装置および制御装置に係り、特に、Ethernetスイッチなどのレイヤ２スイッチやレイヤ３スイッチなどのデータ転送装置が、入力回線から入力されたデータに対して必要な処理（例えば、ＶＬＡＮ  Ｔａｇを見て出力回線を決定する等）を実施し、出力回線にデータを転送する手段をもち、データ転送装置がデータに対して実施する処理は外部の制御装置からの情報により決定するデータ転送装置に関する。
【背景技術】
【０００２】
図７に、パケット転送装置（例えば、ＩＰルータなど）２０が、入力回線から入力されたパケットに対して必要な処理（例えば、宛先アドレスを見て宛先への最短経路を求め該パケットの出力回線を決定する等）を決定し、パケットを転送している図を示す。
同図では、Ｆに示すパケット送信装置（ＰＣ）からのパケットが、Ｅ、Ｄ、Ｂのパケット転送装置２０を介して、Ｇに示すパケット受信装置（ＰＣ）に到達することを図示している。
このように、ＩＰルータなどのパケット転送装置２０は、入力回線から入力されたパケットに対して、パケット毎に必要な処理を決定する（下記非特許文献１参照）。
図８に、図７に示すパケット転送装置（例えば、ＩＰルータなど）２０の構成例を示し、パケット転送装置２０の動作概要を説明する。
同図に示すように、パケット転送装置２０は、大きく分けると、回線インタフェース部（ＩＦ＃１〜ＩＦ＃ｎ）と、スイッチ部（ＳＷ）と、プロトコル処理部６０とで構成される。
回線インタフェース部（ＩＦ＃１〜ＩＦ＃ｎ）は、パケット送受信部１０と、パケット処理部１１と、ＱｏＳ（Quality of Service：品質制御）制御部１２とから構成される。
回線インタフェース部（ＩＦ＃１〜ＩＦ＃ｎ）は、パケット送受信部１０でパケットを受信すると、パケット処理部１１、ＱｏＳ制御部１２においてパケットに対して必要な処理を行い（例えば、パケットを転送すべき出力側の回線インタフェース部（ＩＦ）を決定する、所定の品質制御を行う等）、スイッチ部（ＳＷ）にパケットを送出する。
スイッチ部（ＳＷ）は、出力側の回線インタフェース部（ＩＦ）ヘパケットを送出する。
プロトコル処理部６０では、プロトコルソフトウェアによって、ルーティングプロトコルやシグナリングプロトコルが動作しており、パケット転送装置がプロトコル制御パケットを交換し合うことで、パケットの処理動作を決定している。
プロトコル処理部６０で決定したパケットの処理動作は、各回線インタフェース部（ＩＦ＃１〜ＩＦ＃ｎ）のパケット処理部１１へ伝達される。これがパケット転送装置の動作概要である。
一方、データ転送機能に特化したものとして、Ethernetスイッチなどのレイヤ２スイッチやレイヤ３スイッチなどのデータ転送装置が知られている（下記非特許文献２参照）。
【０００３】
なお、本願発明に関連する先行技術文献としては以下のものがある。
【非特許文献１】マスタリングＴＣＰ／ＩＰ 入門編：オーム社；ＩＳＢＮ：４２７４０６４５３０
【非特許文献２】ＬＡＮスイッチング徹底解説：日経ＢＰ社；ＩＳＢＮ：４８２２２８０９９３
【非特許文献３】T.Kawakami,G.Velev,N.Ogashima and H.Ogawa Method to Set up LSP using      VLAN Tag Switching .INTERNET-DRAFT,      http://www.ietf.org/internet-drafts/              draft-kawakami-vlan-lsp-signalling-00.txt
【発明の開示】
【発明が解決しようとする課題】
【０００４】
ＩＰパケット転送装置は、Ethernetスイッチなどのレイヤ２スイッチやレイヤ３スイッチなどのデータ転送装置と比べて高機能であり、非常に高価である。
例えば、レイヤ３以上の高位レイヤ処理機能（例えば、パケットクラシフィケーション機能）、ＱｏＳ機能、多くの異種インタフェースへの対応、非常に多くのプロトコルサポートといった多種多様な機能を持っており、Ethernetスイッチなどのデータ転送装置と比べて部品点数が多く、搭載されているソフトウェアも複雑であることが課題であり、これが高価になる原因となっている。
一方、Ethernetスイッチなどのレイヤ２スイッチやレイヤ３スイッチなどのデータ転送装置は安価ではあるが、データ転送機能に特化しており、機能面でＩＰパケット転送装置に劣るという問題があった。
このように、ＩＰパケット転送装置を使うと、多種多様なプロトコル処理が可能で、パケットを宛先まで最短経路での転送や、ネットワークリソースを考慮した最適な経路で転送することが可能であるが、レイヤ２スイッチやレイヤ３スイッチと比べて非常に高価であるという問題点があった。
本発明は、前記従来技術の問題点を解決するためになされたものであり、本発明の目的は、高価で多機能なＩＰパケット転送装置を使用することなく、安価なレイヤ２スイッチやレイヤ３スイッチを利用して、ＩＰパケット転送装置なみのプロトコル処理を実現しながら、効率的にデータ転送を行うことが可能となる技術を提供することにある。
本発明の前記ならびにその他の目的と新規な特徴は、本明細書の記述及び添付図面によって明らかにする。
【課題を解決するための手段】
【０００５】
本願において開示される発明のうち、代表的なものの概要を簡単に説明すれば、下記の通りである。
即ち、本発明は、レイヤ２スイッチ、あるいはレイヤ３スイッチの機能を備えるデータ転送装置であって、外部から入力されるデータに付与されたＶＬＡＮ  Ｔａｇに基づき転送先を決定し、前記外部から入力されるデータを、次データ転送装置あるいは次パケット転送装置に転送する手段を有する。
また、本発明では、ＶＬＡＮ  Ｔａｇ転送テーブルを有し、前記手段は、前記外部から入力されるデータに付与されたＶＬＡＮ  Ｔａｇと前記ＶＬＡＮ  Ｔａｇ転送テーブルとを比較し、前記外部から入力されるデータの転送先を決定する。
また、本発明では、外部から入力されるデータに基づき、前記ＶＬＡＮ  Ｔａｇ転送テーブルを作成する。
また、本発明は、前述のデータ転送装置に接続される制御装置であって、他の制御装置、あるいはパケット転送装置との間で制御データを送受信し、ネットワークのトポロジ情報の収集とトポロジ把握、データトラヒック情報の収集、ＶＬＡＮ  Ｔａｇが付与されたデータ転送のための設定（データ転送経路の決定を行い、転送のためのＶＬＡＮ  Ｔａｇを決定し、そのＶＬＡＮ  Ｔａｇを経路に沿って運ぶためのＶＬＡＮ  Ｔａｇテーブルを作成する等）、隣接ノードの発見と隣接ノードの故障検出を行う手段と、前記データ転送装置のＶＬＡＮ  Ｔａｇ転送テーブルを作成するためのデータを、自制御装置に接続される前記データ転送装置に転送する手段とを有する。
【発明の効果】
【０００６】
本願において開示される発明のうち代表的なものによって得られる効果を簡単に説明すれば、下記の通りである。
本発明によれば、高価で多機能なＩＰパケット転送装置を使用することなく、安価なレイヤ２スイッチやレイヤ３スイッチを利用して、ＩＰパケット転送装置なみのプロトコル処理を実現しながら、効率的にデータ転送を行うことが可能となる。
【発明を実施するための最良の形態】
【０００７】
以下、図面を参照して本発明の実施例を詳細に説明する。
なお、実施例を説明するための全図において、同一機能を有するものは同一符号を付け、その繰り返しの説明は省略する。
図１は、本発明の実施例のデータ転送装置によるネットワーク構成図とパケット転送手順例を示す図である。
図１に示すネットワークは、既存のパケット転送装置（ＩＰルータ）２０と、本実施例のデータ転送装置２２と、既存のパケット転送装置２０と、本実施例のデータ転送装置２２に接続される制御装置２１とで構成される。
本実施例のデータ転送装置２２は、従来のレイヤ２スイッチ、あるいはレイヤ３スイッチと同様、レイヤ２スイッチ、あるいはレイヤ３スイッチの機能を備える。
また、本実施例のデータ転送装置２２と接続される制御装置２１の台数は１対１でも良いし、Ｎ対１でも良い。図１では、１対１の場合を示している。
【０００８】
まずはデータ転送（パケット）の手順を説明する。
本実施例のデータ転送装置２２と接続されている既存のパケット転送装置（ＩＰルータ）２０は、入力されたＩＰパケットにＶＬＡＮ  Ｔａｇ（IEEE 802.1Qにより規定されている識別子）を付与、またはＶＬＡＮ  Ｔａｇを削除する機能を持つ。
既存のパケット転送装置２０は、入力されたＩＰパケットにＶＬＡＮ  Ｔａｇを付与し、隣接のデータ転送装置２２にＶＬＡＮ  Ｔａｇが付与されたデータを送付する。
データ転送装置２２は、入力されたデータ（ＶＬＡＮ  Ｔａｇが付与されたデータ）をＶＬＡＮ  Ｔａｇ転送テーブル（テーブルの作成については後述）に従って、出力回線を決定し、データを次データ転送装置２２へ送付する。
これを続けることによって、ＶＬＡＮ  Ｔａｇが付与されたデータをデータ転送装置２２で転送していく。
ＶＬＡＮ  Ｔａｇが付与されたデータを既存のパケット転送装置２０に転送する場合には、データ転送装置２２でＶＬＡＮ  Ｔａｇを削除してから送付するか、またはＶＬＡＮ  Ｔａｇが付与されたデータをそのまま送付する。図１は後者の例を示している。
【０００９】
図２は、本実施例のデータ転送装置２２の制御手順例を示す図である。
既存のパケット転送装置２０と本実施例のデータ転送装置２２に接続されている制御装置２１とは、制御情報を送受信する。
具体的には、ネットワークのトポロジ情報やトラヒック情報を収集し、最適な経路（リソースを無駄なく使用するための経路や最短経路）を決定するＧＭＰＬＳ拡張されたルーティングプロトコル（ＧＭＰＬＳ拡張ＯＳＰＦ−ＴＥ等）と、決定した経路に従ってＶＬＡＮ  Ｔａｇが付与されたデータ転送を行うための経路設定を行うＧＭＰＬＳ拡張されたシグナリングプロトコル（ＧＭＰＬＳ拡張ＲＳＶＰ−ＴＥ等）にしたがい、制御情報を交換する。
また、制御装置２１と、それに隣接する制御装置２１との間でも、ＧＭＰＬＳ拡張されたルーティングプロトコル（ＧＭＰＬＳ拡張ＯＳＰＦ−ＴＥ等）、ＧＭＰＬＳ拡張されたシグナリングプロトコル（ＧＭＰＬＳ拡張ＲＳＶＰ−ＴＥ等）にしたがい、同様に制御情報を交換する。
また、隣接ノード発見プロトコル（ＬＭＰ；Link Manager Protocol）を利用して、隣接するデータ転送装置２２の物理的な情報や、故障発見を行う。
既存のパケット転送装置２０との間、あるいは隣接する制御装置２１との間で、ルーティングプロトコルやシグナリングプロトコルにしたがい、制御情報が交換された結果として決定されたＶＬＡＮ  Ｔａｇ転送経路は、制御装置２１から対応するデータ転送装置２２ヘと送られ、データ転送装置２２の内部に、ＶＬＡＮ  Ｔａｇ転送テーブルが作成される。
これにより、本実施例のデータ転送装置２２は、ＶＬＡＮ  Ｔａｇ転送テーブルを利用し、入力されたＶＬＡＮ  Ｔａｇが付与されたデータを転送することが可能となる。
【００１０】
ここで、ルーティングプロトコルとしては、ＯＳＰＦ（Open Shortest Path First）、ＢＧＰ（Border Gateway Protocol）、ＩＳＩＳ（Intermediate System-to-Intermediate System）、ＯＳＰＦ−ＴＥ（OSPF Traffic Engineering）、ＩＳＩＳ−ＴＥ（ISIS Traffic Engineering）、ＧＭＰＬＳ（Generalized Multi-Protocol Label Switching）、ＯＳＰＦ−ＴＥ ＧＭＰＬＳ Ｅｘｔｅｎｓｉｏｎ、ＩＳＩＳ−ＴＥ ＧＭＰＬＳ  Ｅｘｔｅｎｓｉｏｎ等が使用される。
また、シグナリングプロトコルとしては、ＲＳＶＰ（Resource Reservation Protocol）、ＲＳＶＰ−ＴＥ（RSVP Traffic Engineering）、ＲＳＶＰ−ＴＥ ＧＭＰＬＳ Ｅｘｔｅｎｓｉｏｎ等が使用される。
このように、本実施例によれば、高価で多機能なＩＰパケット転送装置を使うことなく、安価なレイヤ２スイッチやレイヤ３スイッチを利用してＩＰパケット転送装置なみのプロトコル処理を実現しながら、ＶＬＡＮ  Ｔａｇ転送を容易に実現でき、効率的にデータ転送を行うことが可能となる。
【００１１】
図３は、本実施例のデータ転送装置２２のＶＬＡＮ  Ｔａｇ転送テーブルを示す図である。
図３は、既存のパケット転送装置２０と、本実施例のデータ転送装置２２と、本実施例のデータ転送装置２２に接続される制御装置２１とで構成されたネットワーク上における、図３のＢに示すデータ転送装置２２のＶＬＡＮ  Ｔａｇ転送テーブルを示す。
本実施例のデータ転送装置２２に接続された制御装置２１の間、および制御装置２１とパケット転送装置２０との間で、ルーティングプロトコル、シグナリングプロトコル、隣接ノード発見プロトコルにしたがい作成された転送に必要なＶＬＡＮ  Ｔａｇ転送テーブルがデータ転送装置２２に送られる。
図３のＡに示すパケット転送装置２０は、ＶＬＡＮ  Ｔａｇ付与テーブル２６により特定のパケットに対して特定のＶＬＡＮ  Ｔａｇを付与する。
図３のＡに示すパケット転送装置２０のＶＬＡＮ  Ｔａｇ付与テーブル２６は、入力されるＩＰパケットのＩＰアドレス毎に、出力ポートと、ＩＰパケットに付与するＶＬＡＮ  Ｔａｇが記述される。
ＶＬＡＮ  Ｔａｇ付与テーブル２６は、既存のパケット転送装置２０と制御装置２１との間、または、制御装置間でルーティングプロトコル、シグナリングプロトコル、隣接ノード発見プロトコルによって作成されるか、ネットワーク管理者によって作成される。
なお、本例では、パケット転送装置２０が、ＶＬＡＮ  Ｔａｇ付与テーブル２６を持ちＶＬＡＮ  Ｔａｇを付与する様子を示しているが、本実施例のデータ転送装置２２がＶＬＡＮ  Ｔａｇ付与テーブルを持ちＶＬＡＮ  Ｔａｇを付与することとしてもよい。
この場合でも、ＶＬＡＮ  Ｔａｇ付与テーブルは、本実施例のデータ転送装置２２に接続された制御装置２１の間、および制御装置２１とパケット転送装置２０との間で、ルーティングプロトコル、シグナリングプロトコル、隣接ノード発見プロトコルによって作成されるか、ネットワーク管理者によって作成される。
【００１２】
既存のパケット転送装置２０から送信されたデータ（ＶＬＡＮ  Ｔａｇが付与されたデータ）を、図３のＢに示すデータ転送装置２２が受信すると、データ転送装置２２はＶＬＡＮ  Ｔａｇが付与されたデータのＶＬＡＮ  Ｔａｇと、ＶＬＡＮ  Ｔａｇ転送テーブル２７を比較し、該当するＶＬＡＮ  Ｔａｇを書き換え、あるいはＶＬＡＮ  Ｔａｇヘッダは書き換えずに隣接ノードヘ転送していく。
図３のＢに示すデータ転送装置２２のＶＬＡＮ  Ｔａｇ転送テーブル２７には、ＶＬＡＮ  Ｔａｇが付与されたパケットの入力ポートと、当該ＶＬＡＮ  Ｔａｇ毎に、出力ポートと、転送するＩＰパケットに付与するＶＬＡＮ  Ｔａｇが記述される。
同様に、隣接するデータ転送装置２２が、ＶＬＡＮ  Ｔａｇが付与されたデータを受信すると、ＶＬＡＮ  Ｔａｇが付与されたデータのＶＬＡＮ  Ｔａｇと、ＶＬＡＮ  Ｔａｇ転送テーブルを比較し、該当するＶＬＡＮ  Ｔａｇを書き換え、あるいは、ＶＬＡＮ  Ｔａｇヘッダは書き換えずに隣接ノードヘ転送していく。
図３の場合は、後者のＶＬＡＮ  Ｔａｇを書き換えない例を示している。
ＶＬＡＮ  Ｔａｇを書き換えないのは、既存のレイヤ２スイッチ（Ｌ２ＳＷ）、あるいはレイヤ３スイッチ（Ｌ３ＳＷ）には、そのような機能を持っていないものが多く、既存の機能をそのまま利用できるという大きな利点がある。
【００１３】
図４に、既存のパケット転送装置２０と、本実施例のデータ転送装置２２に接続された制御装置２１との間、および、本実施例のデータ転送装置２２に接続された制御装置２１の間でシグナリングプロトコルを利用してＶＬＡＮ  Ｔａｇを決定、配布する手順を示す。
図４では、シグナリングプロトコルとしてＧＭＰＬＳ拡張されたＲＳＶＰ−ＴＥを利用する例を示す。
ＧＭＰＬＳ拡張されたＲＳＶＰ−ＴＥのPathメッセージのLabel Set Objectを利用してＶＬＡＮ  Ｔａｇが付与されたデータが流れる下流側へ、各データ転送装置２２が利用できるＶＬＡＮ  Ｔａｇを運ぶ。
各制御装置２１は接続されているデ一タ転送装置２２が利用できるＶＬＡＮ  ＴａｇをLabel Set Objectの中から選択して下流側へ送付する。
Ｔａｇ転送の最終装置（図では、Ａに示す既存のパケット転送装置２０）で、Pathメッセージを受信した後、Label Set Object内にあるＶＬＡＮ  Ｔａｇから１つだけ選択し、Resvメッセージで利用するＶＬＡＮ  Ｔａｇを上流へ伝えていく。
なお、図４では、ＶＬＡＮ  Ｔａｇを途中のデータ転送装置２２で書き換えないことを前提として説明している。
【００１４】
図５は、隣接する制御装置２１との間、および既存のパケット転送装置２０との間で、ルーティングプロトコル、シグナリングプロトコル、隣接ノード発見プロトコルにしたがい制御情報を交換することにより生成された、制御装置内のＶＬＡＮ  Ｔａｇテーブルを示す図である。
これらのテーブル情報のうち、データ転送装置２２には、ＶＬＡＮ  Ｔａｇ転送に必要な情報のみが送られ、データ転送装置２２のＶＬＡＮ  Ｔａｇ転送テーブルが作成される。
なお、制御装置２１からデータ転送装置２２へのＶＬＡＮ  Ｔａｇ転送テーブルの送信方法はＳＮＭＰ（Simple Network Management Protocol）、またはＣＬＩ（Command Line Interface）を使用する方法がある。
また、Ｓｔａｔｉｃテーブルとして転送テーブルに直接書き込む方法や、ＭＩＢ（Management Information Base）を拡張する方法もある。
【００１５】
図６は、本実施例のデータ転送装置２２と制御装置２１の概略構成を示すブロック図である。
同図に示すように、データ転送装置２２は、データ転送部５１と、ＭＡＣデータベース５２と、Ｌ２／Ｌ３スイッチ間インタフェース５５とで構成される。
ＭＡＣデータベース５２は、ＶＬＡＮ  Ｔａｇ転送テーブル５６を有する。
データ転送部５１は、ＶＬＡＮ  Ｔａｇ転送テーブル５６を利用して、外部から入力される、ＶＬＡＮ  Ｔａｇが付与されたデータを転送し、また、入力されるＩＰパケットにＶＬＡＮ  Ｔａｇを付与して転送、あるいは、外部から入力されるＶＬＡＮ  Ｔａｇが付与されたデータから、ＶＬＡＮ  Ｔａｇを削除して転送する。
制御装置２０は、プロトコル制御部３１と、ＶＬＡＮデータベース３２と、ルーティングデータベース３３と、Ｌ２／Ｌ３スイッチ間インタフェース３５とで構成される。
ＶＬＡＮデータベース３２はＶＬＡＮ  Ｔａｇテーブル３６を有し、ルーティングデータベース３３はルーティングテーブル３７を有する。
【００１６】
プロトコル制御部３１は、既存のパケット転送装置２０と、隣接する制御装置２１との間で、ルーティングプロトコル、シグナリングプロトコル、隣接ノード発見プロトコルにしたがい制御情報を交換し、最適な経路を決定し、ＶＬＡＮ  Ｔａｇ転送経路を決定する。
このプロトコル制御部３１で決定された最適な経路は、ルーティングデータベース３４内のルーティングテーブル３７に格納される。
プロトコル制御部３１で設定されたＶＬＡＮ  Ｔａｇ転送経路は、ルーティングデータベース３３内のＶＬＡＮ  Ｔａｇテーブル３６に格納される。
ＶＬＡＮ  Ｔａｇテーブル３６の一部の情報は、Ｌ２／Ｌ３スイッチ間インタフェース（３５，５５）を介して、データ転送装置２２のＭＡＣデータベース５２内のＶＬＡＮ  Ｔａｇ転送テーブル５６に送信される。
以上、本発明者によってなされた発明を、前記実施例に基づき具体的に説明したが、本発明は、前記実施例に限定されるものではなく、その要旨を逸脱しない範囲において種々変更可能であることは勿論である。
【図面の簡単な説明】
【００１７】
【図１】本発明の実施例のデータ転送装置によるネットワーク構成図とパケット転送手順例を示す図である。
【図２】本発明の実施例のデータ転送装置の制御手順例を示す図である。
【図３】本発明の実施例のデータ転送装置のＶＬＡＮ  Ｔａｇ転送テーブルを示す図である。
【図４】既存のパケット転送装置と、本発明の実施例のデータ転送装置に接続された制御装置との間、および、本発明の実施例のデータ転送装置に接続された制御装置の間で、シグナリングプロトコルを利用してＶＬＡＮ  Ｔａｇを決定、配布する手順を示す図である。
【図５】隣接する制御装置との間、および既存のパケット転送装置との間で、ルーティングプロトコル、シグナリングプロトコル、隣接ノード発見プロトコルにしたがい制御情報を交換することにより生成された、制御装置内のＶＬＡＮ  Ｔａｇテーブルを示す図である。
【図６】本発明の実施例のデータ転送装置と制御装置の概略構成を示すブロック図である。
【図７】パケット転送装置が、入力回線から入力されたパケットに対して必要な処理を決定し、パケットを転送している様子を示す図である。
【図８】図７に示すパケット転送装置の構成例を示す図である。
【符号の説明】
【００１８】
１０  パケット送受信部
１１  パケット処理部
１２  ＱｏＳ（Quality of Service：品質制御）制御部
２０  パケット転送装置
２１  制御装置
２２  データ転送装置（Ｌ２／Ｌ３ＳＷ）
２６  ＶＬＡＮ  Ｔａｇ付与テーブル
２７，５６  ＶＬＡＮ  Ｔａｇ転送テーブル
３１  プロトコル制御部
３２  ＶＬＡＮデータベース  
３３  ルーティングデータベース
３５，５５  Ｌ２／Ｌ３スイッチ間インタフェース
３６  ＶＬＡＮ  Ｔａｇテーブル
３７  ルーティングテーブル
５１  データ転送部
５２  ＭＡＣデータベース
６０  プロトコル処理部
ＰＣ  パケット送信装置またはパケット受信装置
ＩＦ＃１〜ＩＦ＃ｎ  回線インタフェース部
ＳＷ  スイッチ部
【図１】
2005210556.tif 000003
【図２】
2005210556.tif 000004
【図３】
2005210556.tif 000005
【図４】
2005210556.tif 000006
【図５】
2005210556.tif 000007
【図６】
2005210556.tif 000008
【図７】
2005210556.tif 000009
【図８】
2005210556.tif 000010